(57)【要約】【課題】携帯電話機に突出部を設ける必要がなく、歩くときも安定して携帯電話機を保持することができ、使用時に簡単に取り出すことができる携帯電話機の収納ケースおよび携帯電話機を提供する。【解決手段】ベース１の一面に、互いに相対するように固定爪１７および可動爪１２を突出させ、可動爪１２をバネ１３によって固定爪１７側に付勢させる。携帯電話機３０の操作部３４のヒンジ３１側には、可動爪１２と係合する突出片３４を設け、先端側には固定爪１７と係合する凹部３４を設ける。可動爪１２および固定爪１７に、携帯電話機３０の端部が当接する傾斜面１８、１９を設ける。携帯電話機３０を収納ケース１０に押し当てるだけで、固定爪１７と可動爪１２とで携帯電話機３０を確実に保持させることができる。【選択図】図１
2008072289.tif 000002
【特許請求の範囲】
【請求項１】
ベースと、そのベースの一面から互いに相対するように突出する爪とを有し、少なくとも一方の爪が、相手側に向かって移動自在に設けられると共に、バネによって相手側に付勢されている携帯電話機の収納ケース。
【請求項２】
前記ベースに一対の壁が立設されると共に、前記一方の爪が壁に対して移動自在に設けられ、他方の爪が壁に対して移動しないように設けられている請求項１記載の携帯電話機の収納ケース。
【請求項３】
前記爪のうち、いずれかの爪に、携帯電話機と当接したときに外向きの力が加わる傾斜面が形成されている請求項１または２記載の携帯電話機の収納ケース。
【請求項４】
前記ベースの裏面側に、ベルトを通すベルト通し部が設けられている請求項１、２または３のいずれかに記載の携帯電話機の収納ケース。
【請求項５】
請求項１〜４のいずれかに記載の収納ケースに収納される携帯電話機であって、前記収納ケースの爪と係合する凹凸形状が、互いに対向する外周壁にデザインされている携帯電話機。
【請求項６】
ヒンジにより開閉自在に連結されるディスプレー部および操作部を備えており、前記爪と係合する凹凸形状が、操作部の外周壁に設けられている請求項５記載の携帯電話機。
【発明の詳細な説明】
【技術分野】
【０００１】
本発明は携帯電話機の収納ケースおよびその収納ケースに収納する携帯電話機に関する。
【背景技術】
【０００２】
【特許文献１】特開２００３−５１８７３号公報
【特許文献２】意匠登録第１０９１８１１号公報
【０００３】
特許文献１には、携帯電話機に対して固定される保持具と、その保持具を着脱自在に保持するホルダとからなる携帯電話機用保持具が開示されている。保持具には、フランジ付き円筒状の突出部が設けられ、ホルダには、その突出部を受け入れるガイド片および突出部の先端の穴と係合する出没自在の突起が設けられている。さらにホルダには、その突起を出る方向に付勢するバネ、その突起を操作により引っ込ませるロック解除部、およびベルトなどに挟着する挟着片を設けている。
【０００４】
この装置では、単に保持具をホルダに着脱するだけでなく、保持具に設けた円筒状の突出部により、保持具に取り付けた携帯電話機を、ベルトなどに取り付けたホルダに対して回転させることができる。そのため、ベルトの向きに関わらず、携帯電話機を使用者の好みの角度にできる。さらにこの装置では、邪魔にならない程度の小型の保持具を携帯電話機に固定し、その保持具を、ホルダに対して着脱自在にすることにより、確実な着脱と使いやすさとを両立させている。
【０００５】
特許文献２には、固定片と調整片とを備えた本体でノート型パソコンのディスプレー部に固定し、係止ベルトで携帯電話機を本体に固定することができる携帯電話ホルダが開示されている。このものは、使用しないときは本体を平坦に折り畳むことができる。
【発明の開示】
【発明が解決しようとする課題】
【０００６】
特許文献１の携帯電話機用保持具は、ホルダに装着している状態で回転できる反面、突出部があるので、シャツの胸ポケットや洋服の内ポケットに入れることができない。また、机の上などに平坦に置くときに、突出部がない方を下にして置く必要があり、面倒である。特許文献２の携帯電話ホルダは、係止ベルトで携帯電話機を本体に係止するので、持ち歩いたりするときは携帯電話機がぶらつくことがあり、しかも係止ベルトから脱落するおそれがある。
【０００７】
本発明は、携帯電話機に突出部を設ける必要がなく、持ち歩くときでも、確実に携帯電話機を保持することができ、使用時に簡単に取り出すことができる携帯電話機の収納ケースを提供することを技術課題としている。さらに本発明は、そのような収納ケースと組み合わせて使用する携帯電話機を提供することを技術課題としている。
【課題を解決するための手段】
【０００８】
本発明の携帯電話機の収納ケース（請求項１）は、ベースと、そのベースの一面から互いに相対するように突出する爪とを有し、少なくとも一方の爪が、相手側に向かって移動自在に設けられると共に、バネによって相手側に付勢されていることを特徴としている。移動自在には、揺動自在、スライド自在およびそれらを組み合わせたものが含まれる。
【０００９】
このような携帯電話機の収納ケースでは、前記ベースに一対の壁が立設されると共に、前記一方の爪が壁に対して移動自在に設けられ、他方の爪が壁に対して移動しないように設けられているものが好ましい（請求項２）。
【００１０】
また、前記爪のうち、いずれかの爪に、携帯電話機と当接したときに外向きの力が加わる傾斜面が形成されているものが好ましい（請求項３）。
【００１１】
前記いずれの携帯電話機の収納ケースにおいても、ベースの裏面側に、ベルトを通すベルト通し部が設けられているものが好ましい（請求項４）。ベルトには、洋服のベルト、鞄のショルダーベルト、背負いベルトなどが含まれる。
【００１２】
本発明の携帯電話機（請求項５）は、前述のいずれかの収納ケースに収納される携帯電話機であって、前記収納ケースの爪と係合する凹凸形状が、互いに対向する外周壁にデザインされていることを特徴としている。
【００１３】
このような携帯電話機においては、ヒンジにより開閉自在に連結されるディスプレー部および操作部を備えており、前記爪と係合する凹凸形状が、操作部の外周壁に設けられているものが好ましい（請求項６）。
【発明の効果】
【００１４】
本発明の携帯電話機の収納ケース（請求項１）は、互いに相対するように突出する爪を備えており、少なくとも一方の爪が相手側に向かって移動自在で、かつ、バネによって相手側に付勢されているので、それらの爪でベース上に配置した携帯電話機を保持することができる。そして爪の付勢方向が相手側の爪の方向であるので、携帯電話機を取り外す方向に外力が加えられても、バネの付勢力の向きとは異なるため、爪は開かない。そのため、振動などで外力が加わっても、携帯電話機は安全に保持される。
【００１５】
携帯電話機を収納ケースから外す場合は、携帯電話機を移動可能な爪の側に、バネの付勢力に抗して押す。それにより反対側の爪との係合を外すことができる。ついでバネで付勢されている側の爪から外すことにより、携帯電話機を収納ケースから外すことができる。携帯電話機を収納ケースに収納する場合は、携帯電話機の一端側を移動可能な爪に係合させ、バネの付勢力に抗して押す。ついで携帯電話機の他端側を反対側のつけに係合させる。それによりバネの付勢力により、両方の爪で携帯電話機を挟むように保持することができる。
【００１６】
このように本発明の携帯電話機の収納ケースは、携帯電話機を確実に保持することができ、容易に着脱することができる。しかも携帯電話機には突出部を設ける必要がないので、シャツのポケットなどに入れる邪魔にならず、机の上に置くときも突出部が邪魔にならない。
【００１７】
このような携帯電話機の収納ケースにおいて、前記ベースに一対の壁が立設されると共に、前記一方の爪が壁に対して移動自在に設けられ、他方の爪が壁に対して移動しないように設けられている場合（請求項２）は、一方の爪が移動しないので、携帯電話機の収納ケースへの装着状態が安定し、さらに着脱操作が容易である。
【００１８】
また、前記爪のうち、いずれかの爪に、携帯電話機と当接したときに外向きの力が加わる傾斜面が形成されている場合（請求項３）は、携帯電話機をベースに向かって押しつける操作をするだけで、移動側の爪が移動して携帯電話機を受け入れる。そのため、携帯電話機の収納操作が容易である。なお、固定側の爪に傾斜面が設けられている場合でも、その傾斜面を押す反作用で移動側の爪を拡がる方向に押すことができる。
【００１９】
前記ベースの裏面側に、ベルトを通すベルト通し部が設けられている場合（請求項４）は、携帯電話機の収納ケースをベルトに安定して取り付けることができ、携帯電話機を使用者の身体や持ち物に安定して装着することができる。
【００２０】
本発明の携帯電話機（請求項５）は、収納ケースの爪と係合する凹凸形状が、互いに対向する外周壁にデザインされているので、突出部がなく、外観が向上すると共に、収納ケースから外せばそのままシャツの胸ポケットや洋服の内ポケットに収納することができる。
【００２１】
ヒンジにより開閉自在に連結されるディスプレー部および操作部を備えており、前記爪と係合する凹凸形状が、操作部の外周壁に設けられている携帯電話機（請求項６）は、携帯電話機を収納ケースに収納した状態でディスプレー部を開閉することができ、そのまま携帯電話機を操作することができる。
【発明を実施するための最良の形態】
【００２２】
つぎに図面を参照しながら本発明の携帯電話機の収納ケース（以下、単に収納ケースという）およびそれに用いる携帯電話機の実施形態を説明する。図１は本発明の収納ケースの一実施形態を携帯電話機の実施形態と共に示す断面図、図２はその収納ケースの斜視図、図３は図１の携帯電話機の斜視図、図４、図５および図６はそれぞれ本発明の収納ケースの他の実施形態を示す要部断面図である。
【００２３】
図１に示す収納ケース１０は、本体１１と、その本体１１に対して揺動自在に設けられる可動爪１２と、その可動爪１２を付勢するバネ１３からなる。本体１１は、矩形の板状のベース１４と、そのベース１４の端部近辺からそれぞれ立ち上がる第１の壁１５および第２の壁１６を備えている。そして第１の壁１５の上端に、前述の可動爪１２が揺動自在に取り付けられている。第２の壁１６の上端には、前記一方の壁１５に向かって突出する固定爪１７が形成されている。可動爪１２および固定爪１７の内側の面は、それぞれ下に向かって突出する傾斜面１８、１９とされている。
【００２４】
図２に示すように、前記第１の壁１５の上端は第２の壁１６に向かって内向きに突出する支持部２０、２０が間隔をあけて設けられており、それらの支持部２０、２０に固定した軸２１によって前記可動爪１２の上端が揺動自在に吊られている。可動爪１２の上部は、支持部２０、２０の間に入り込んでいる。可動爪１２の下部も、上部と同一の幅にしている。ただし下部の幅をベース１４と同一の幅にすることもできる。前記第１の壁１５の支持部２０の間は、可動爪１２の揺動を妨げないように、可動爪１２との間に隙間Ｓを設けている。
【００２５】
さらにこの収納ケース１０では、可動爪１２の下部からバネ係止片２２が下向きに突出している。他方、ベース１４の幅方向における中央部には長手方向に延びる溝２３が形成され、溝２３の第２の壁１６の端部にバネ係止片２５が設けられている。そして可動爪１２のバネ係止片２２と溝２３のバネ係止片２５との間を、前述のバネ１３が連結している。バネ１３としては、引っ張りコイルバネを用いている。それにより可動爪１２は、その先端が常時第２の壁１６に向かって弾力的に付勢されている。
【００２６】
さらにこの収納ケース１０は、ベース１４の下面側の前後の端部に、ベルトを通すためのベルト通し２６、２６が突設されている。それぞれのベルト通し２６には、ベルトが通るスリット２７が形成されている。それにより収納ケース１０をベルトが延びている方向に沿うように、ベルトに取り付けることができる。ベルトとしては、ズボンやスカートなどの洋服のベルトでもよく、ショルダーバッグの肩ベルトあるいは背負いバッグの背負いベルトでもよい。
【００２７】
このように構成される収納ケース１０は、図３に示す携帯電話機３０を収納することができる。この携帯電話機３０は、ヒンジ３１によって回動自在に連結されるディスプレー部３２と操作部３３とからなる、折り畳み式の携帯電話機である。ただし他の形態の携帯電話機であってもよい。
【００２８】
この携帯電話機３０では、操作部３３のヒンジ３１側の端部に、可動爪１２と係合する突出片３４が設けられている（図１参照）。さらにディスプレー部３２および操作部３３のヒンジ３１とは反対側の端部には、固定爪１７と係合する凹部３５が形成されている。この凹部３５は、操作部３３の上面側に設けた、先端に行くにつれて低くなる傾斜面３６と、ディスプレー部３２の下面側に設けた先端に行くにつれて上がる傾斜面３７とから、略Ｖ字状に形成されている。操作部３２の上面側の傾斜面３６は、固定爪１７と係合する部位であり、ディスプレー部３３側の傾斜面３７は、固定爪１７との干渉を避けるための逃げである。さらにこの携帯電話機３０では、操作部３３の下面側にも傾斜面３８を設けている（図１参照）。
【００２９】
この携帯電話機３０は、たとえば携帯電話機３０をベース１４に対して斜めにして、始めに操作部３３の先端を固定爪１７とベース１４の間に挿入し、操作部３３の上側の傾斜面３６を固定爪１７の下面に係合させる。ついでヒンジ３１側をベース１４に向かって押し込む。それにより、可動爪１２がバネ１３の付勢力に抗して軸２１周りに図１の反時計方向に揺動し、突出片３４を受け入れる。そして突出片３４が入り込んだ後、可動爪１２がバネ１３によって弾力的に引っ張られ、可動爪１２の下面が突出片３４の上面と係合する。それにより図１に示すように、携帯電話機３０を収納ケース１０に収納することができる。
【００３０】
なお、携帯電話機３０をベース１４と平行に保持し、そのままベース１４に向かって押し込むようにしてもよい。その場合は、操作部３３の下面側の傾斜面３８が固定爪１７の傾斜面１９と当接し、滑りながら携帯電話機３０をヒンジ３１側にいくらか移動させる。同時にヒンジ側の突出片３４が可動爪１２の傾斜面１８と当接し、前述と同様にバネ１３の付勢力に抗しながら可動爪１２を引っ込ませる。それにより携帯電話機３０は図１の状態に収納される。この収納した状態では、携帯電話機３０の前後が固定爪１７と可動爪１２で挟まれており、しかも操作部３３の上側の傾斜面３６と固定爪１７とが係合し、突出片３４と可動爪１２とが係合しているので、携帯電話機３０はしっかりと収納ケース１０に保持される。
【００３１】
なお、携帯電話機３０にベース１１から離す方向の外力が加わっても、可動爪１２を反時計方向に揺動しないので、安全である。さらに図１に示すように、可動爪１２と突出片３４との係合部位は、軸２１より第２の壁１６側に寄っている。そのため、可動爪１２はむしろ時計方向、すなわち係合が深くなる方向に揺動することになる。そのため、いわばロックがかかった状態となり、携帯電話機３０を一層安全に保持することができる。
【００３２】
携帯電話機３０を収納ケース１０から取り外す場合は、携帯電話機３０を第１の壁１５側に移動させ、それにより可動爪１２をバネ１３の付勢力に抗して引っ込ませる。この状態ではヒンジ３１と反対側の端部に設けられる凹部３５と固定爪１７との係合が外れるので、その端部を引き出す。そしてそのまま第２の壁１６側に携帯電話機３０をずらせ、可動爪１２と突出片３４との係合を外せばよい。
【００３３】
以上、図１〜３を参照して収納ケース１０と携帯電話機３０の好ましい実施の形態を説明したが、本発明はそれらに限定されるものではなく、種々の変更を加えることもできる。たとえば図４に示す収納ケース４０では、引っ張りコイルバネに代えて、可動爪１２を常時時計方向に付勢する捻りコイルバネ４１を採用している。捻りコイルバネ４１のアーム４２、４２は、可動爪１２と第１の壁１５にそれぞれ係止している。この収納ケース４０は図１の収納ケース１０のように、、ベース１４に引っ張りコイルバネ１３を収容する溝２３を設ける必要がないので、ベース１４を薄くすることができる。
【００３４】
さらに図４の収納ケース４０の場合は、可動爪１２の上端に、可動爪１２を直接操作するための摘み片４３を突設している。そのため、摘み片４３を操作することにより、可動爪１２を反時計方向に揺動するように直接操作することができ、携帯電話機３０の取り出しが容易になる。このような摘み片４３は図１の収納ケース１０にも採用することができる。
【００３５】
図５に示す収納ケース４５は、可動爪４６を断面逆Ｔ字状に形成し、ベース１４に設けたＴ溝４７によってベース１４の長手方向にスライド自在に支持している。そのため、図１の場合のような、可動爪１２を支持する第１の壁１５が不要である。符号４８は可動爪４６をバネ１３の付勢力に抗してスライド操作するための摘み片である。この収納ケース４５も図１の収納ケース１０と実質的に同一の作用効果を奏する。
【００３６】
図６に示す収納ケース５０は、固定爪１７を設けている第２の壁１６を、固定爪１７が携帯電話機３０のディスプレー部３２の上面と係合するように、高くしている。したがって携帯電話機３０の係合部は、ディスプレー部３２の上面となるので、図１の場合のような略Ｖ字状の凹部３５は不要である。ただし操作部３３の下面側の傾斜面３８については、図１の場合と同様である。したがって携帯電話機３０を収納ケース５０に収納する操作は図１の場合と同様、簡単である。また、携帯電話機３０の取り出しも、図１の場合と同様の手順で行うことができる。
【００３７】
前記実施の形態では、固定爪１７と可動爪１２、４６とを組み合わせているが、両方とも可動爪１２、４６とすることもできる。また、固定爪１７や可動爪１２、４６をベース１４の長手方向における両端に設けているが、ベース１１の幅方向の端部に設けることもできる。
【００３８】
また、前記いずれの収納ケースにおいても、矩形状のベース１４における、固定爪１７や可動爪１２、４６を設けていない一辺あるいは両辺に、携帯電話機３０がずれるのを防止するための壁ないし立ち上がり片を設けることもできる。それらの壁ないし立ち上がり片は、携帯電話機３０の着脱の妨げにならないように設ける。
【００３９】
前記実施の形態では、ベース１４の長手方向における両端にベルト通し２６を設けているが、ベルト通し２６をベース１４の左右端に設けてもよい。その場合は、収納ケース１０をベルトに対して直角方向に取り付けることができる。いずれの場合も、既存のベルトを通すことができる。また、ベース１４の両端にベルトの一端を連結する連結環（ベルト止め）を設け、それぞれの連結環にベルトの端部を連結することもできる。その場合、それらのベルトの自由端同士を着脱自在に、かつ、長さ調節自在に連結する留め具やバックルを設けてもよい。それにより、収納ケース付きのベルトとして使用することができる。
【図面の簡単な説明】
【００４０】
【図１】本発明の収納ケースの一実施形態を携帯電話機と共に示す断面図である。
【図２】その収納ケースの斜視図である。
【図３】図１の携帯電話機の斜視図である。
【図４】本発明の収納ケースの他の実施形態を示す要部断面図である。
【図５】本発明の収納ケースの他の実施形態を示す要部断面図である。
【図６】本発明の収納ケースの他の実施形態を示す要部断面図である。
【符号の説明】
【００４１】
１０  収納ケース
１１  本体
１２  可動爪
１３  バネ
１４  ベース
１５  第１の壁
１６  第２の壁
１７  固定爪
１８  傾斜面（可動爪）
１９  傾斜面（固定爪）
２０  支持部
２１  軸
２２  バネ係止片
２３  溝
２５  バネ係止片
２６  ベルト通し
２７  スリット
３０  携帯電話機
３１  ヒンジ
３２  ディスプレー部
３３  操作部
３４  突出片
３５  凹部
４０  収納ケース
４１  捻りコイルバネ
４２  アーム
４３  摘み片
４５  収納ケース
４６  可動爪
４７  Ｔ溝
４８  摘み片
５０  収納ケース
【図１】
2008072289.tif 000003
【図２】
2008072289.tif 000004
【図３】
2008072289.tif 000005
【図４】
2008072289.tif 000006
【図５】
2008072289.tif 000007
【図６】
2008072289.tif 000008